(57)【特許請求の範囲】
【請求項１】
プラント各機器からの計測値を表示してプラントの監視を行うプラント監視装置において、
上記プラント各機器をシンボル化し、この機器シンボルを用いてプラントの各系統を表示するための画面データと、上記各機器シンボルに関連した計測値のタグとを格納するグラフィックデータベースと、
上記プラントから入力される計測値に対応するタグと、その計測値を時系列データとして短期間格納する第１のデータベースと、
上記第１のデータベースのタグのうち長期監視を必要とするタグと、このタグに対応する上記プラントから入力される計測値を時系列データとして長期間格納する第２のデータベースと、
上記グラフィックデータベースから所望の系統図を表示させ、その表示画面中の機器シンボルを指定すると、この指定の機器シンボルに関連した計測値のタグを上記グラフィックデータベースから抽出し、
トレンドグラフ表示期間が上記第１のデータベースの格納期間内であれば、上記抽出したタグに対応する時系列データを上記第１のデータベースから抽出してトレンドグラフを表示し、
トレンドグラフ表示期間が上記第１のデータベースの格納期間を超えた期間であれば、上記抽出したタグに対応する時系列データを上記第２のデータベースから抽出してトレンドグラフを表示し、
トレンドグラフ表示期間が上記第１のデータベースの格納期間内とその格納期間を超えた期間とに跨る場合は、上記第１のデータベースの格納期間の表示部分は、上記抽出したタグに対応する時系列データを上記第１のデータベースから抽出してトレンドグラフを表示すると共に、上記第１のデータベースの格納期間を超える期間の表示部分は、上記抽出したタグに対応する時系列データを上記第２のデータベースから抽出してトレンドグラフを表示する表示手段とを備えたことを特徴とするプラント監視装置。
【請求項２】
請求項１のプラント監視装置において、
指定された機器シンボルに関連する計測値のタグとそのタグに対応する計測値名称とを一覧表示する第１の画面と、全てのタグとそのタグに対応する計測値名称とを一覧表示する第２の画面とをマルチウィンドウで表示し、
上記第２の画面上の所望のタグをマウス等で指定して上記第１の画面上に表示させることにより、トレンド表示させるタグを変更するタグ変更手段と、
この変更したタグに対応した時系列データを上記第１のデータベースおよび／または第２のデータベースから抽出してトレンドグラフを表示する表示手段と、
上記所望のタグを抽出するための「タグ・機器名称・計測値名称」等の一部または全部を入力して検索する検索画面を表示し、
上記検索画面を用いて所望のタグを検索しその検索されたタグを第２の画面上に表示させるタグ検索手段を設け、
この検索されたタグをタグ変更手段を用いて第１の画面上に表示してトレンド表示させるタグを変更し、表示手段を用いて表示するようにしたことを特徴とするプラント監視装置。
【発明の詳細な説明】
【０００１】
【発明の属する技術分野】
この発明は、プラントの設備・機器や運転状況を監視するプラント監視装置に関するもので、特に時系列データをグラフにして表示するトレンドグラフの表示に関するものである。
【０００２】
【従来の技術】
図１６は、従来のプラント監視システムの機能構成図である。
図において、５１は、各プラントから上がってきたデータを収集して、時系列の最新の短期間のデータ（例：ポンプの起動／停止等のディジタルデータやポンプの回転数等のアナログデータ）を保存しているデータベースで、全プロセスタグの時系列なデータを保存しているリアルタイムトレンドデータベースである。
【０００３】
５２は、各プラントから上がってきたデータを収集して、時系列の最新の長期間のデータを保存しているデータベースで、指定され限定されたプロセスタグのみを保存しているヒストリカルデータベースである。
５３は、リアルタイムデータベース５１を元に表示されるリアルタイムトレンドグラフである。
５４は、ヒストリカルデータベース５２を元に表示されるヒストリカルトレンドグラフである。
【０００４】
５５は、リアルタイムトレンドグラフ５３を表示するためのプロセスタグをグループ化したリアルタイムグループ化メニューである。例えば、「グループ１」がポンプ１号であれば、プロセスタグは、そのポンプの流量、温度などの関連する計測値にそれぞれ付与される。これらのデータは図示しないがテーブル（またはデータベース）として格納されている。
５６は、ヒストリカルトレンドグラフ５４を表示するためのプロセスタグをグループ化したヒストリカルグループ化メニューである。これらのデータは図示しないがテーブル（またはデータベース）として格納されている。
【０００５】
次に動作について説明する。
まず、リアルタイムトレンドグラフについて説明する。
リアルタイムグループ化メニュー５５のある項目を選択すると、そのグループに登録しているプロセスタグに対応する時系列データを、リアルタイムデータベースから抽出することにより、表示されるリアルタイムトレンドグラフ５３が起動される。
リアルタイムトレンドグラフ５３は、常に最新プラントデータがリアルタイム更新され、短期間のデータが表示される。
【０００６】
次にヒストリカルトレンドグラフについて、説明する。
ヒストリカルグループ化メニュー５６のある項目を選択すると、そのグループに登録しているプロセスタグに対応する時系列データを、ヒストリカルデータベースから抽出することにより、表示されるヒストリカルトレンドグラフ５４が起動される。
ヒストリカルトレンドグラフ５４は、表示期間が指定されたグラフで、リアルタイム更新を行わず（ヒストリカルデータベースはリアルタイム更新されるが表示は更新しない）、長期間のデータが表示される。
【０００７】
また、他の従来の技術として、特開平５−３２３９１９号公報がある。この公報はトレンドグラフを表示させる対象のプロセス値（プロセスタグに相当）を自由に変更することができるようにしている。
図１７に示すように所望の系統をグラフィック表示し、「トレンド登録キー４１」をタッチすると、図１８に示すようなプロセス値の固有信号名称一覧ウィンドー４２が表示され、その表示された名称中の必要な名称をタッチして選択すると、右側の小ウィンドー４３の画面に表示される。
【０００８】
この小ウィンドー４３に選択表示されたプロセス値に対して、図１９に示すようなトレンドグラフが表示される。
このようにトレンドグラフを表示させる対象のプロセス値を自由に選択することができるが、リアルタイムトレンドグラフ画面（短期データグラフ）とヒストリカルトレンドグラフ画面（長期データグラフ）の両者を表示するという機能をもっていない。
【０００９】
【発明が解決しようとする課題】
従来のトレンドグラフは以上のように構成されており、短期間データ・リアルタイムグラフのグループ化した一覧メニューから、短期データ・リアルタイムトレンドグラフ画面（短期グラフ）を起動したり、長期データ・ヒストリカルグラフのグループ化したメニューから、長期データ・ヒストリカルトレンドグラフ画面（長期データグラフ）を起動していたため、リアルタイムに更新され、かつ、長期を表示させることができなかった。
【００１０】
また、これらのグラフはウィンドウではなく、画面で表示するため、複数のグラフを表示されることはできなかった。
また、このように、グループ化されたメニューからしか、リアルタイムまたはヒストリカルのトレンドグラフを表示することしかできなかった。
【００１１】
また、特開平５−３２３９１９号公報は、プロセス値の固有信号名称一覧ウィンドー４２が一種のグループ化したトレンド表示対象と見なせるが、いちいち小ウィンドーにプロセス値を選択する必要があり手間を要する。また、短期データによるリアルタイムトレンドグラフ画面（短期データグラフ）と長期データによるヒストリカルトレンドグラフ画面（長期データグラフ）とを表示させることができなかった。
【００１２】
この発明は上記のような課題を解決するためになされたもので、グラフィック画面上のシンボルに割り当てられている「複数のプロセスタグ」を一つのグループとして、リアルタイムトレンドグラフ表示またはヒストリカルトレンドグラフ表示を行うことができ、また、複数のリアルタイムトレンドグラフウィンドウを表示することも可能とし、トレンドグラフ解析作業を、より効率的に支援することを目的とする。
【００１３】
また、短期リアルタイムデータからのトレンドグラフ表示から、長期ヒストリカルのデータからのトレンドグラフの表示を、ユーザーが意識することなく、シームレスな切り替えによって表示することができ、リアルタイムに発生する短期データ及び、長期のデータを表示することを目的とする。
【００１４】
また、一つのグループ内の「複数のプロセスタグ」のタグを変更することにより、表示するトレンドグラフを容易に変更することを目的とする。
【００１５】
【課題を解決するための手段】
（１）この発明に係るリアルタイムトレンドグラフ表示装置は、
【請求項１】プラント各機器からの計測値を表示してプラントの監視を行うプラント監視装置において、
上記プラント各機器をシンボル化し、この機器シンボルを用いてプラントの各系統を表示するための画面データと、上記各機器シンボルに関連した計測値のタグとを格納するグラフィックデータベースと、
上記プラントから入力される計測値に対応するタグと、その計測値を時系列データとして短期間格納する第１のデータベースと、
上記第１のデータベースのタグのうち長期監視を必要とするタグと、このタグに対応する上記プラントから入力される計測値を時系列データとして長期間格納する第２のデータベースと、
上記グラフィックデータベースから所望の系統図を表示させ、その表示画面中の機器シンボルを指定すると、この指定の機器シンボルに関連した計測値のタグを上記グラフィックデータベースから抽出し、
トレンドグラフ表示期間が上記第１のデータベースの格納期間内であれば、上記抽出したタグに対応する時系列データを上記第１のデータベースから抽出してトレンドグラフを表示し、
トレンドグラフ表示期間が上記第１のデータベースの格納期間を超えた期間であれば、上記抽出したタグに対応する時系列データを上記第２のデータベースから抽出してトレンドグラフを表示し、
トレンドグラフ表示期間が上記第１のデータベースの格納期間内とその格納期間を超えた期間とに跨る場合は、上記第１のデータベースの格納期間の表示部分は、上記抽出したタグに対応する時系列データを上記第１のデータベースから抽出してトレンドグラフを表示すると共に、上記第１のデータベースの格納期間を超える期間の表示部分は、上記抽出したタグに対応する時系列データを上記第２のデータベースから抽出してトレンドグラフを表示する表示手段とを備えたものである。
【００１６】
（２）また、請求項１のプラント監視装置において、
指定された機器シンボルに関連する計測値のタグとそのタグに対応する計測値名称とを一覧表示する第１の画面と、全てのタグとそのタグに対応する計測値名称とを一覧表示する第２の画面とをマルチウィンドウで表示し、
上記第２の画面上の所望のタグをマウス等で指定して上記第１の画面上に表示させることにより、トレンド表示させるタグを変更するタグ変更手段と、
この変更したタグに対応した時系列データを上記第１のデータベースおよび／または第２のデータベースから抽出してトレンドグラフを表示する表示手段と、
上記所望のタグを抽出するための「タグ・機器名称・計測値名称」等の一部または全部を入力して検索する検索画面を表示し、
上記検索画面を用いて所望のタグを検索しその検索されたタグを第２の画面上に表示させるタグ検索手段を設け、
この検索されたタグをタグ変更手段を用いて第１の画面上に表示してトレンド表示させるタグを変更し、表示手段を用いて表示するようにしたものである。
【００１９】
【発明の実施の形態】
実施の形態１．
以下、この発明の実施の形態を図に基づいて説明する。
図１はプラント監視制御システムの機能構成図である。
図２はリアルタイムトレンドデータベースのデータ構造を示す図であり、
図３はヒストリカルトレンドデータベースのデータ構造を示す図であり、
図４はグラフィックデータベースのデータ構造を示す図であり、
図５はタグ一覧データベースのデータ構造を示す図である。
図６はプラント監視装置の表示装置の構成図である。
図７はポップアップメニューの要部を示す図である。
図８はリアルタイムトレンドグラフの表示画面である。
【００２０】
図１において、４はグラフィック画面で、プラント内の各系統が選択表示され、可変画シンボル５をマウスでクリックすることによりポップアップメニュー６が表示され、このポップアップメニュー６からリアルタイムトレンドグラフを指定すると、リアルタイムトレンドグラフ７が図８のように表示される。
【００２１】
８はリアルタイムトレンドデータベースで、プラント設備・機器などからの最新の短期間のプラントデータが入力され時系列データとして格納される。
そのデータ構造は図２に示し、一つのプロセスタグに対して５秒毎のプロセス値を格納している。このデータの保存（格納）期間は１時間と短期間にしている。
【００２２】
９はヒストリカルトレンドデータベースで、プラント設備・機器などからの最新のプラントデータの内、長期保管の必要なデータを時系列データとして格納される。
そのデータ構造は図３に示し、リアルタイムトレンドデータベース８と同一のデータ構造で、データの保存（格納）期間が７．５日と長期間にしている。
【００２３】
６１はグラフィックデータベースで、そのデータ構造は図４に示し、プロセス値に依存しない画面全体を表示する背景画などの情報を保存する固定画データベースと、プロセス値などのデータに依存する可変画シンボルの情報や、数値などの情報を保存する可変画データベースから構成され、この可変画データベースは一つの可変画シンボル（ポンプ２１号）に対し表示する位置、色の指定、表示値タグ（トレンドグラフ表示対象のプロセスタグ）などが設定され格納されている。
【００２４】
６２はタグ一覧データベースで、そのデータ構造は図５に示し、タグ（プロセスタグ）と、そのタグの測定値の単位、機器の名称、上限値、下限値などを格納している。
【００２５】
図６において、１はプラント監視制御のＣＲＴディスプレイであり、２、３は、それぞれ入力を受け付けるキーボードとマウスである。
４はプラント設備・機器をシンボル化してグラフィック表示したグラフィック画面である。このグラフィック画面はウィンドウではなく、ＣＲＴディスプレイ１全体に表示される画面（固定画）である。
【００２６】
図１でも説明したように図６のグラフィック画面４には、固定画や可変画シンボル５が存在する。可変画シンボル５には、複数のプロセスタグが割り当てられている。
６は可変画シンボルをマウス（ポインティングデバイス）でクリックすると表示されるポップアップメニューである。ポップアップメニュー６には、幾つかの起動画面の項目があるが、図６ではリアルタイムトレンドとヒストリカルトレンドのみを示している。図７はそのポップアップメニュー６の一例を示すものである。
【００２７】
図８において、７はポップアップメニュー６から起動されるリアルタイムトレンドグラフウィンドウである。このウィンドウはグラフィック画面４とは異なり、ＣＲＴディスプレイ１内を自由に移動できるウィンドウであり、また、複数のウィンドウが表示可能である。
【００２８】
３１は終了ボタンでトレンドグラフの表示を終了する場合に用いる。
１１は信号名称一覧ボタンで、信号名称（測定値名称）とその名称に対応するプロセスタグを表示する場合に用いるもので、後述の実施の形態３で説明する。
１２はタグ検索ボタンで、所望のタグを検索する場合に用いるもので、後述の実施の形態３で説明する。
【００２９】
３２は設備一覧ボタンで、プラントの設備の一覧が表示される。
３３は機器一覧ボタンで、プラントの機器の一覧が表示される。
３４は最新時刻表示ボタンで、時間経過と共にトレンドグラフの表示範囲が移動する自動スクロール時に最新時刻が表示される。また、非自動スクロール時は、表示時刻の設定ボタンとなる。
【００３０】
３５は自動スクロール解除ボタン、３６は各トレンドグラフごとのプロセスタグナンバーである。
３７はデータの収集周期で、この場合５秒ある。
３８はプロセスタグナンバーに対応するカーソル値を示すもので、このカーソル値は、カーソル４６とグラフ表示エリア４７に表示されたトレンドグラフとが交わる点のプロセス値である。そしてカーソル４６をマウスで左右に移動させることにより所望の時刻におけるカーソル値を表示することができる。
【００３１】
３９はカーソル位置での時刻を示すもの、４０は各属性設定ボタンでグラフの色などを指定し、４１は属性設定ボタンで、諸元の設定を行う。
４２，４３は一画面スクロールアローボタンで、グラフ表示エリア４７の一画面全体をスクロールする。
【００３２】
４４は縦スクロールバーで、垂直方向のパーセントスケール４５を０〜５０％、５０〜１２０％等に変更する。
また、４９は垂直方向スケールで、電流、流量などのスケールで示す。
１０は横スクロールバーでトレンドグラフが表示される範囲（左端と右端の時刻）を移動させる。その表示範囲はスライダー５０で見ることができる。
４８は水平方向スケールでトレンドグラフの時刻（時間軸）を表す。
【００３３】
次に動作について説明する。
図１または図６で、グラフィック画面４の可変画シンボル５をマウス３でクリックすると、ポップアップメニュー６が表示される。
ポップアップメニュー６の「リアルタイムトレンド」をクリックすると、リアルタイムトレンドグラフ７がウィンドウとして起動される。リアルタイムトレンドグラフ７には、図４に示す可変画シンボル５に割り当てられている複数個のプロセスタグを１つのグループとしてトレンドグラフが表示される。
可変画シンボル５は、グラフィック画面４に複数個存在し、可変画シンボル個分のリアルタイムトレンドグラフ７を起動させることができる。
【００３４】
次にフローチャート図９で説明する。
（１）監視制御システムのグラフィック画面４を表示する（ＳＴ１）。
（２）グラフィック表示画面４から、リアルタイムトレンドグラフを表示したい可変画シンボル５をマウス３でクリックし、ポップアップメニュー６の「リアルタイムトレンド」または「ヒストリカルトレンド」を選択する（ＳＴ２）。
【００３５】
（３）ポップアップメニュー６の「リアルタイムトレンド」または「ヒストリカルトレンド」を選択すると、グラフィックデータベース６１から指定の可変画シンボル５に登録されているプロセスタグを抽出する（ＳＴ３）。
（４）抽出したプロセスタグ対応の測定値の単位を、タグ一覧データベース６２から抽出する（ＳＴ４）。
【００３６】
（５）抽出したプロセスタグ対応の時系列データを、リアルタイムトレンドデータベース８またはヒストリカルトレンドデータベース９から検索する（ＳＴ５）。
（６）検索された時系列データからリアルタイムトレンドグラフ（叉はヒストリカルトレンドグラフ）をリアルタイムトレンドグラフウィンドウ（叉はヒストリカルトレンドグラフウィンドウ）に表示する（ＳＴ６）。
【００３７】
（７）別の可変画シンボルからリアルタイムトレンドグラフ（叉はヒストリカルトレンドグラフ）を表示したい場合は（ＳＴ７）、（ＳＴ２）に戻る。
別のリアルタイムトレンドグラフを表示したくない場合は、終了ボタン３１をクリックし終了する（ＳＴ８）。
【００３８】
以上のように、グラフィック画面の可変画シンボルに登録されているプロセスタグのプラント計測データをグラフ表示することで、ユーザーがその可変画シンボルにかかわるデータのみを表示することができ、ユーザーにより視覚的に表示させることが可能となる。
【００３９】
また、全てのタグに対してリアルタイムに発生するプラントデータのトレンドグラフの表示、または、選択されたプロセスタグのみの長期履歴データのトレンドグラフの表示を、画面上で選択するのみで容易に切り替え表示することができる。
【００４０】
従って、グラフィック画面を監視しながら、過去の履歴や最新のデータをトレンドグラフウィンドウで監視することができ、ユーザーの監視作業を効果的にすることができる。
【００４１】
実施の形態２．
この発明の実施の形態は、実施の形態１のようにリアルタイムトレンドグラフまたはヒストリカルトレンドグラフを選択して起動するのではなく、ポップアップメニュー６でリアルタイムトレンドグラフのみを指示することで、リアルタイムトレンドグラフとヒストリカルトレンドグラフとをシームレスに切り替え、短期データと長期データの両者のトレンド表示を一画面上で行うようのしたものである。
【００４２】
全体のシステム構成は、実施の形態１の図１と同様の構成で、画面構成も図６と同様であるが、ポップアップメニュー６は、実施の形態１では図７のように「リアルタイムトレンド」と「ヒストリカルトレンド」のメニューがあったが、この実施の形態２では、図１０のように「リアルタイムトレンド」のみである。
【００４３】
また、リアルタイムトレンドグラフの画面は、実施の形態１の図８と同様であるが、異なる点は、図８においては「リアルタイムトレンドグラフ／ヒストリカルトレンドグラフ」のタイトルがあったが、これが「リアルタイムトレンドグラフ」の表示のみとなる。
【００４４】
図１１、図１２はトレンドグラフの表示状態を説明する図である。
図１１に示すように、リアルタイムトレンドグラフの表示期間が、リアルタイムトレンドデータベース８の保存期間内（リアルタイムモード）であれば、リアルタイムトレンドデータベース８にアクセスして、その時系列データからリアルタイムトレンドグラフを表示する。図１１では現時刻からの最新データを表示した場合を「グラフ表示画面Ａ」として表示する。
【００４５】
そして横スクロールバー１０により表示画面を左方向へ移動することができる。左方向の移動により、図１２に示すように、リアルタイムモードを超えてヒストリカルモードに跨った場合は、「グラフ表示画面Ｂ」のような表示画面となる。
この場合、リアルタイムトレンドデータベース８の保存（格納）期間内の表示部分は、図１１の場合と同じようにしてトレンドグラフを表示し、リアルタイムトレンドデータベース８の保存（格納）期間を越える期間の表示部分は、ヒストリカルトレンドデータベース９へのアクセスを行い、時系列データを抽出してヒストリカルトレンドグラフを表示する。
【００４６】
このようにして、１つの画面で両方のデータベースのデータをユーザーが意識することなしに、トレンドグラフを表示でき、また、両トレンドグラフの継ぎ目部分を、図１２のグラフ表示部分Ｂのようにシームレスな表示画面とすることができる。
【００４７】
なお、リアルタイムトレンドデータベース８の保存（格納）期間を超える期間のみの表示範囲の場合は、ヒストリカルトレンドデータベース９へのアクセスを行い、時系列データを抽出してヒストリカルトレンドグラフを表示する。
【００４８】
実施の形態３．
この実施の形態は、図４に示す可変画シンボルに対応したトレンドグラフを表示するための表示値タグを変更して、表示するトレンドグラフを変更するものである。
図１３、図１４はこの実施の形態の信号名称一覧ウィンドウとタグ一覧ウィンドウとをそれぞれ示す図である。
図１３の信号一覧名称ウィンドウと図１４のタグ一覧ウィンドウとは一画面にマルチウィンドウして表示される。
【００４９】
図１３は、図８に示すリアルタイムトレンドグラフ７の信号名称ボタン１１をクリックすることによって、オンライン実行中に表示される信号一覧ウィンドウ１３を示す図である。この信号一覧ウィンドウ１３は、現在、表示中のタグの一覧を表示したウィンドウである。（図では、グラフ表示中の６つのプロセスタグの情報について表示している。）
【００５０】
プロセス情報（１行）２０は表形式に表したウィンドウで、１つのプロセスタグ情報には、プロセスタグ、信号名称、単位（発生名称）がある。
なお、発生名称とはＯＮ／ＯＦＦ情報である。
このプロセスタグ情報２０は、図４のグラフィックデータベース６１の複数値個の表示値タグ（一つの可変画シンボルに対応するタグ）と、このタグに対応する図５のタグ一覧データベース６２の単位、名称から得られる。
１６は設定ボタンであり、１７は取り消しボタンである。
【００５１】
図１４は、図８に示すリアルタイムトレンドグラフ７のタグ検索ボタン１２をクリックすることで表示されるタグ一覧ウィンドウ１４である。このタグ一覧ウィンドウ１４は、プラント設備・機器すべてのタグの情報を表示することができるウィンドウである。
【００５２】
１５は、タグ一覧ウィンドウ１４上のスクロールバーであり、このスクロールバー１５をマウス３で、スクロールすることで、プラント全体のプロセスタグの一覧を順次表示することができる。
プロセスタグ情報（１行）１９は表形式に表したウィンドウで、１つのプロセスタグ情報には、プロセスタグ、信号名称、単位（発生名称）がある。
１８は検索ボタンであり、２１は閉じるボタンである。
【００５３】
次に動作について説明する。
（１）図１３の信号名称一覧ウィンドウ１３、及び、図１４のタグ一覧ウィンドウ１４は、図８のリアルタイムトレンド７の信号一覧ボタン１１およびタグ検索ボタン１２を、マウス３でクリックすることによって、オンライン実行中、ウィンドウ表示される。
【００５４】
（２）タグ一覧ウィンドウ１４のスクロールバー１５をマウス３でスクロールすることで、グラフ表示させたいタグを探す。例えば、プロセスタグ情報１９を表示させたい場合は、その項目をマウス３でドラッグさせ、信号名称一覧ウィンドウ上のあるタグ上で、例えば、プロセスタグ情報２０のタグ上で、ドロップさせると、２０のプロセスタグがプロセスタグ１９に入れ替わる。
【００５５】
（３）次に、設定ボタン１６をマウス３でクリックすると、その変更されたタグのグループでグラフが表示され、この信号名称一覧画面は閉じる。
（４）取り消しボタン１４をマウス３でクリックすると、前のタグのままで表示され、このウィンドウは閉じる。
（５）タグ一覧ウィンドウ１４の閉じるボタン２１をクリックすると、タグ一覧ウィンドウ１４は閉じる。
【００５６】
このようにしてオンライン中に、いろいろな組み合わせを１グループとしたグラフを表示させ、登録することが簡単な操作でできる。
【００５７】
実施の形態４．
実施の形態３では、タグ一覧ウィンドウから所望のプロセスタグを抽出してトレンドグラフ表示を変更したが、タグ一覧ウィンドウから所望のプロセスタグを探すことに時間を要する場合がある。
この実施の形態は、所望のプロセスタグを検索するようにしたものである。
【００５８】
図１５は検索条件設定ウィンドウを示す図である。
２２は、図１４のタグ一覧ウィンドウ１４の検索ボタン１８によって起動される検索条件設定ウィンドウで、タグ一覧ウィンドウ１４に表示すべきデータを絞りこむ際に、検索条件を入力するためのウィンドウである。
【００５９】
２３は、検索条件設定ウィンドウ上の設定ボタンである。
２４は、検索条件設定ウィンドウ上の取り消しボタンである。
２５〜２７は、プロセスタグ検索条件入力エリア、信号名称検索条件入力エリア、単位（発生名称）検索条件入力エリアで、検索条件をキーボード２より入力することができる。
【００６０】
各入力エリア２５〜２７の「ＫＬ＊」「ポンプ＊」などの「＊」は上位一致の検索をするもので、コンピュータのファイルに使うワイルドカードの「＊」と同じ機能をもつもので、「？」の記号（１文字分の代用）も使用することができる。
【００６１】
次に、動作について説明する。
（１）図１４のタグ一覧ウィンドウ１４の検索ボタン１８によって、検索条件設定ウィンドウ２２が表示される。
（２）タグ一覧ウィンドウ１４に表示させたいデータの検索条件を各入力エリア２５〜２７に入力する。
【００６２】
（３）各入力エリア２５〜２７で、検索する文字列をワイルド・カード「＊」「？」を用いてもよい。その結果、検索条件にあうデータが、図１４のタグ一覧ウィンドウ１４に表示される。この検索は図１、図５に示すタグ一覧データベース６２から検索される。
【００６３】
具体的検索操作を説明すると、各入力エリア２５〜２７に示すように、プロセスタグの頭文字が「ＫＬ」で、信号名称の頭文字が「ポンプ」で、単位（発生名称）の頭文字「ｍ」で検索されるデータのみを、タグ一覧ウィンドウ１４に表示したい場合は、各入力エリア２５〜２７にキーボード２より入力を行い、２３の設定ボタンをマウス３でクリックすることで、条件に一致する情報がタグ一覧ウィンドウ１４に表示される。
なお、入力エリア２５〜２７は、全ての入力エリアに入力する必要はなく、２つの各入力エリア、１つの各入力エリアのみの入力でもよい。
【００６４】
（４）検索条件を取り消したい場合は、取り消しボタン２４を使うことによって検索条件を取り消すことができる。
【００６５】
このような操作により簡単にデータを探すことができる。
【００６６】
実施の形態５．
以上の実施の形態では操作する場合、マウスを用いたがＣＲＴの画面上にタッチパネルを設けて、このタッチパネルをタッチすることにより操作するようにしてもよい。
また、図１ではプラントからの出力を伝送装置で伝送しプラント監視制御装置に入力したが、プラントからの出力を直接プラント監視制御装置に入力してもよい。
また、プラント監視制御装置は、監視のみを行うプラント監視装置であってもよい。
【００６７】
【発明の効果】
（１）以上のようにこの発明によれば、短期間のトレンドグラフおよび長期間のトレンドグラフを連続して
表示するようにしたので、トレンドグラフが見やすく、トレンドグラフの解析作
業を、より効率的に支援することができる。
【００６８】
（２）また、トレンドグラフ表示するタグを検索して、機器シンボルに関連するタグを検索したタグに変更するようにしたので、機器シンボルに関連するトレンドグラフを容易に変更することができる。
【図面の簡単な説明】
【図１】この発明の実施の形態１におけるプラント監視システムの機能構成図である。
【図２】この発明の実施の形態１におけるリアルタイムトレンドデータベースのデータ構造を示す図である。
【図３】この発明の実施の形態１におけるヒストリカルトレンドデータベースのデータ構造を示す図である。
【図４】この発明の実施の形態１におけるグラフィックデータベースのデータ構造を示す図である。
【図５】この発明の実施の形態１におけるタグ一覧データベースのデータ構造を示す図である。
【図６】この発明の実施の形態１におけるプラント監視装置の表示装置の構成図である。
【図７】この発明の実施の形態１におけるポッフアップメニューの要部を示す図である。
【図８】この発明の実施の形態１におけるトレンドグラフ表示画面を示す図である。
【図９】この発明の実施の形態１における動作のフローチャートである。
【図１０】この発明の実施の形態２におけるポッフアップメニューの要部を示す図である。
【図１１】この発明の実施の形態２におけるトレンドグラフ表示期間と表示画面との関係を示す図である。
【図１２】この発明の実施の形態２におけるトレンドグラフ表示期間と表示画面との関係を示す図である。
【図１３】この発明の実施の形態３における信号名称一覧ウィンドウを示す図である。
【図１４】この発明の実施の形態３におけるタグ一覧ウィンドウを示す図である。
【図１５】この発明の実施の形態４における検索条件設定ウィンドウを示す図である。
【図１６】従来のプラント監視装置の機能構成図である。
【図１７】従来のプラント監視装置のグラフィック表示画面を示す図である。
【図１８】従来のプラント監視装置のグラフィック表示画面からトレンドグラフ表示動作を説明する図である。
【図１９】従来のプラント監視装置のトレンドグラフの表示画面を示す図である。
【符号の説明】
１    ＣＲＴディスプレイ、                ２    キーボード、
３    マウス、                                        ４    グラフィック画面、
５    可変画シンボル、                        ６    ポップアップメニュー、
７    リアルタイムトレンドグラフ、８    リアルタイムトレンドデータベース、
９    ヒストリカルトレンドデータベース、１０    横スクロールバー、
１１    信号名称一覧ボタン、            １２    タグ検索ボタン、
１３    信号名称一覧ウィンドウ、    １４    タグ一覧ウィンドウ、
１５    スクロールバー、                    １６    設定ボタン、
１７    取り消しボタン、                    １８    検索ボタン、
１９，２０    プロセスタグ情報、    ２１    閉じるボタン、
２２    検索条件設定ウィンドウ、    ２３    設定ボタン、
２４    取り消しボタン、                    ２５    プロセスタグ検索条件入力エリア、
２６    信号名称検索条件入力エリア、
２７    単位（発生名称）検索条件入力エリア、
５１    リアルタイムトレンドデータベース、
５２    ヒストリカルトレンドデータベース、
５３    リアルタイムトレンドグラフ、５４    ヒストリカルトレンドグラフ、
５５    リアルタイムグループ化メニュー、
５６    ヒストリカルグループ化メニュー、
６１    グラフィックデータベース、６２    タグ一覧データベース、
【図１】
0003590490.tif 000002
【図２】
0003590490.tif 000003
【図３】
0003590490.tif 000004
【図４】
0003590490.tif 000005
【図５】
0003590490.tif 000006
【図６】
0003590490.tif 000007
【図７】
0003590490.tif 000008
【図８】
0003590490.tif 000009
【図９】
0003590490.tif 000010
【図１０】
0003590490.tif 000011
【図１１】
0003590490.tif 000012
【図１２】
0003590490.tif 000013
【図１３】
0003590490.tif 000014
【図１４】
0003590490.tif 000015
【図１５】
0003590490.tif 000016
【図１６】
0003590490.tif 000017
【図１７】
0003590490.tif 000018
【図１８】
0003590490.tif 000019
【図１９】
0003590490.tif 000020